(57)【特許請求の範囲】
【請求項１】
現像剤を担持する現像剤担持体と、
前記現像剤担持体上の現像剤の厚さを規制するドクタブレードと、
前記ドクタブレードと別体で構成され、かつ、前記現像剤担持体に設けられた磁石配置において前記ドクタブレードから現像剤担持体回転方向上流側に最も近い磁力ピーク位置まで前記現像剤担持体の表面との間隔が同距離となるように同心円状に形成され、前記間隔が前記現像剤担持体と前記ドクタブレードとの間隔より広くなるように前記ドクタブレードに取り付けられた現像剤規制板と、
を有することを特徴とする電子写真現像装置。
【請求項２】
請求項１に記載の電子写真現像装置において、前記現像剤規制板は、前記現像剤担持体との間隔を可変可能にしたことを特徴とする電子写真現像装置。
【請求項３】
請求項１又は２に記載の電子写真現像装置において、前記現像剤規制板は、前記現像剤担持体との間隔を現像装置外より可変可能にしたことを特徴とする電子写真現像装置。
【発明の詳細な説明】
【０００１】
【発明の属する技術分野】
本発明は、複写機、プリンター、ファクシミリ等の電子写真装置に関し、更に、詳しくは、電子写真現像装置に関する。
【０００２】
【従来の技術】
従来の現像装置において、磁性板の透磁率と、体積を規制する事により、現像剤へのストレスを低減し、画像を滑らかにすることは公知ある（特開平８−１４６７５７号等の公報を参照）。
更に、現像の磁極配置と現像剤規制の位置により、現像剤へのストレスを低減し、画像ムラの発生を防止することも公知がある（特開平８−２３４５６６号等の公報を参照）。
【０００３】
【発明が解決しようとする課題】
近年、開発効率の向上及びコストを低く押さえるため、部品、ユニットの共通化が要望されている。斯かる要望に応えるものとして、前述の従来技術が上げられる。しかし、ユニットの共通化と云う点では困難を伴う。その理由として以下の点が挙げられる。
【０００４】
コピー速度に応じて、現像装置に求められている速度が異なる。特に、２成分現像装置においては、一般的に、潜像担持体の回転線速の１〜３倍の速度が要求される。遅いコピー速度に対応した現像装置を、早いコピー速度のコピー機に共通に使おうとした場合、早いコピー速度の現像装置は現像剤担持体の回転線速が早いため、現像剤規制部での現像剤へのストレスが過剰となり、トナーの帯電量が増大し、トナーの付着不良が発生する。
【０００５】
逆に、早いコピー速度に対応した現像装置を、遅いコピー速度のコピー機に共通に使おうとした場合、遅いコピーの現像装置は現像剤担持体の回転線速が遅いため、現像剤規制部での現像剤へのストレスが少なくなり、十分なトナーの帯電量が得られず、トナーの過剰付着や文字太りが発生する。
【０００６】
そこで本発明の課題は、このような問題点を解決し、簡単な構成で、高速から低速まで小変更で共通使用可能な電子写真現像装置を提供することにある。
【０００７】
【課題を解決するための手段】
本発明の上記課題は、下記の手段により達成される。請求項１の発明によれば、現像剤を担持する現像剤担持体と、現像剤担持体上の現像剤の厚さを規制するドクタブレードと、ドクタブレードと別体で構成され、かつ、現像剤担持体に設けられた磁石配置においてドクタブレードから現像剤担持体回転方向上流側に最も近い磁力ピーク位置まで現像剤担持体の表面との間隔が同距離となるように同心円状に形成され、該間隔が現像剤担持体とドクタブレードとの間隔より広くなるようにドクタブレードに取り付けられた現像剤規制板と、を有する電子写真現像装置であることを最も主要な特徴とする。請求項２の発明によれば、現像剤規制板は、現像剤担持体との間隔を可変可能にした請求項１に記載の電子写真現像装置であることを主要な特徴とする。請求項３の発明によれば、現像剤規制板は、現像剤担持体との間隔を現像装置外より可変可能にした請求項１又は２に記載の電子写真現像装置であることを主要な特徴とする。
【０００８】
【発明の実施の形態】
次に、本発明の実施形態を図面を参照して詳細に説明する。
図１において、現像装置１０を有する電子写真装置の感光体ドラム１は、帯電ローラ２により一様に帯電され、露光光３により静電潜像が形成され、現像装置１０によりトナー像が形成される。
【０００９】
Ｐセンサ４は感光体上に形成されたパターンの濃度を検知する。転写ローラ５によりトナー像が転写された転写紙（図示されていない）は静電気的に感光体に吸着しているので、分離爪６により剥離される。感光体に残留したトナーはクリーニングブレード７によりかき取られ、搬送スクリュー８により現像装置１０などに回収される。感光体に残留した静電気は、クエンチングランプ９により除電される。
【００１０】
図２においては、本発明の現像装置１０は、感光体ドラム１にトナーを供給する現像剤担持体１１、該現像剤担持体上の現像剤の厚さを規制するドクタブレード１２、現像剤担持体１１に現像剤を供給し、循環させる搬送スクリュー１３ａ、１３ｂおよび現像装置内のトナー濃度を検知するＴセンサ１４より構成されている。
【００１１】
図３において、現像装置１０内の現像剤の循環状態は、搬送スクリュー１３ａと１３ｂの間に仕切板１５が設けられており、現像剤は搬送スクリュー１３ａにより手前から奥へ、搬送スクリュー１３ｂにより奥から手前へ攪拌されながら搬送され、現像剤担持体１１に供給される。
【００１２】
図４は、現像剤担持体１１周辺に配置図された現像剤規制板１６は、距離調整手段１７の調整螺子１７ａによりドクタブレード１２の位置決め穴１７ｂ１にビス止め支持されている。ドクタブレイド１２には上下方向の位置決め穴１７ｂ２が設けてあり、現像剤規制板１６の取り付け位置を変更可能に支持する。
図中のＧｄはドクタブレード１２と現像剤担持体１１とのギャップ、Ｇｔは現像剤規制板１６と現像剤担持体１１のギャップ、Ｐ１〜Ｐ６は現像剤担持体上の各々の位置における磁力を示している。これによって現像剤はスリーブ上に担持され、感光体ドラム１位置まで搬送され、感光体ドラム１上の静電潜像を現像する。
【００１３】
図５は、本発明の現像剤規制板１６の取付けを外部より、現像剤規制板１６と現像剤担持体１１との距離が変更可能なように、調整螺子１７ａが現像装置１０外に出ており、調整螺子１７ａにより、図示の矢印方向の上下方向に変更可能になっている。
【００１４】
ギャップＧｔ可変の有効性を確認するためコピー速度を変え、下記の条件で実験を行ない、図６の結果を得た。
実験条件
コピー速度    感光体線速    現像ローラ線速      Ｇｄ
２０ｃｐｍ    125mm/sec     250mm/sec         ０．４
３０ｃｐｍ    188mm/sec     375mm/sec         ０．４
４０ｃｐｍ    250mm/sec     500mm/sec         ０．４
５０ｃｐｍ    313mm/sec     625mm/sec         ０．４
ドクタブレード材質  ：    ＳＵＳ３０４ＮＯ．２Ｂ  ｔ＝２
現像剤規制板材質  ：    ＳＰＣＣ−ＳＤ  ｔ＝０．５
【００１５】
図６は、ギャップＧｔとトナー帯電量とコピー速度との関係を示したものである。コピー速度が速い程、現像剤担持体１１の回転数を速くなるので、トナー帯電量（Ｑ／Ｍ）が高くなり易い。そこで現像剤規制板１６と現像剤担持体１１の距離を大きくすることで、現像剤規制板１６と現像剤担持体１１間に発生する磁力線が少なくなり、現像剤へのストレスが小さくなる。
【００１６】
逆に、コピー速度が遅い程、現像剤担持体１１の回転が遅いので、トナーの帯電量が低くなる。現像剤規制板１６と現像剤担持体１１間の距離を小さくすることで、現像剤へのストレスが大きくなり、トナー帯電量が大きくなる。
【００１７】
【発明の効果】
請求項１の発明によれば、現像剤を担持する現像剤担持体と、該現像剤担持体上の現像剤の厚さを規制するドクタブレードと、該ドクタブレードと別体で構成され、且つ該ドクタブレード位置から現像剤担持体回転方向上流側の磁力のピーク位置まで形成された現像剤規制板とからなる電子写真現像装置にしたので、簡単な構成で、高速から低速まで小変更で共通使用可能な電子写真現像装置を提供することが出来る様になった。
【００１８】
請求項２の発明によれば、請求項１に記載の電子写真現像装置において、現像剤規制板は、現像剤担持体との間の距離を可変可能にしたので、簡単な構成で、高速から低速まで小変更で共通使用可能で、微調整が可変可能な電子写真現像装置を提供することが出来る様になった。
【００１９】
請求項３の発明によれば、請求項１又は２に記載の電子写真現像装置において、現像剤規制板は、現像剤担持体との間の距離を現像装置外より可変可能にしたので、簡単な構成で、高速から低速まで小変更で共通使用可能で、容易にコピー速度に対応した電子写真現像装置に変更出来る様になった。
【図面の簡単な説明】
【図１】電子写真現像装置を有するコピー機の概略構成図である。
【図２】本発明の電子写真現像装置の概略構成図である。
【図３】現像装置内の現像剤循環状態を説明するための斜視図である。
【図４】本発明の現像剤担持体周辺の部材の配置図である。
【図５】本発明の現像剤規制板の取付け方法の他の実施例である。
【図６】ギャップＧｔとトナー帯電量とコピー速度との関係表図である。
【符号の説明】
１  感光体ドラム
２  帯電ローラ
３  露光光
４  Ｐセンサ
５  転写ローラ
６  分離爪
７  クリーニングブレード
８  トナー搬送スクリュー
９  クエンチングランプ
１０  現像装置
１１  現像剤担持体
１２  ドクタブレード
１３ａ  搬送スクリュー
１３ｂ  搬送スクリュー
１４  Ｔセンサ
１５  仕切り板
１６  現像剤規制板
１７  距離調整手段
１７ａ  調整螺子
１７ｂ  位置決め穴
１７ｂ１  位置決め穴
１７ｂ２  位置決め穴
【図１】
0003993748.tif 000002
【図２】
0003993748.tif 000003
【図３】
0003993748.tif 000004
【図４】
0003993748.tif 000005
【図５】
0003993748.tif 000006
【図６】
0003993748.tif 000007